(57)【要約】【課題】直線性を創出することにより外観品質を向上させることができる照明器具を提供する。【解決手段】照明器具１０は、器具本体１１と、器具本体１１に保持される蛍光灯と、を備えて天井面に固定される。器具本体１１は、連結される他の照明器具に有する器具本体に付き合わされる側部に額縁１２を有し、額縁１２の幅寸法に略等しい幅寸法を有して額縁１２の上部において額縁１２と他の照明器具の器具本体に有する額縁とを付き合わせて把持可能な連結具１７を備え、連結具１７により器具本体１１を他の照明器具の器具本体に連結可能である。【選択図】図４
2010218837.tif 000002
【特許請求の範囲】
【請求項１】
器具本体と、
前記器具本体に保持される蛍光灯と、
を備えて天井面に固定される照明器具であって、
前記器具本体は、連結される他の照明器具に有する器具本体に付き合わされる側部に額縁を有し、
前記額縁の幅寸法に略等しい幅寸法を有して前記額縁の上部において前記額縁と前記他の照明器具の器具本体に有する額縁とを付き合わせて把持可能な連結具を備え、
前記連結具により前記器具本体を前記他の照明器具の前記器具本体に連結可能なことを特徴とする照明器具。
【請求項２】
前記連結具は、前記器具本体の額縁と前記他の照明器具の前記額縁との合算厚さ寸法に略等しい挟み込み寸法の把持部を有することを特徴とする請求項１に記載した照明器具。
【請求項３】
前記連結具は、前記器具本体の額縁と前記他の照明器具の前記額縁との合算厚さ寸法よりも小さい挟み込み寸法の把持部を有するとともに前記把持部の前記挟み込み寸法よりも大きい寸法の基端部を有することを特徴とする請求項１に記載した照明器具。
【請求項４】
前記連結具は、前記把持部の先端部が円弧形状に形成されていることを特徴とする請求項２又は３に記載した照明器具。
【請求項５】
前記連結具は、前記把持部の先端部の幅寸法が前記基端部の幅寸法よりも小さいことを特徴とする請求項３又は４に記載した照明器具。
【発明の詳細な説明】
【技術分野】
【０００１】
本発明は、例えば天井面に取り付けられる照明器具に関し、特に器具本体を他の照明器具の器具本体に連結可能な照明器具に関する。
【背景技術】
【０００２】
従来の照明器具の一例として、隣接する器具本体の対向する側板の間に下方から挿入されてそれら側板の間隔を規制して弾圧係合する連結具を備えた照明器具がある（例えば、特許文献１参照）。
【先行技術文献】
【特許文献】
【０００３】
【特許文献１】実開平１−６６７０６号公報（図１、請求項）
【発明の概要】
【発明が解決しようとする課題】
【０００４】
通常、額縁を有する照明器具において単体付き合わせ連結を行う場合、連結した後の直線性を配慮するに際し、連結具を器具の背面などに器具本体と器具本体とを跨って取り付けることにより、がたつき等を抑制できるようにすることが望まれる。
【０００５】
しかし、上記特許文献１に開示された従来の照明器具では、連結具が床面側から直視されてしまう。
従って、外観品質を損なうことになりうる。
【０００６】
本発明は、前述した課題を解決するためになされたものであり、その目的は、直線性を創出することにより外観品質を向上させることができる照明器具を提供することにある。
【課題を解決するための手段】
【０００７】
本発明に係る照明器具は、器具本体と、前記器具本体に保持される蛍光灯と、を備えて天井面に固定される照明器具であって、前記器具本体は、連結される他の照明器具に有する器具本体に付き合わされる側部に額縁を有し、前記額縁の幅寸法に略等しい幅寸法を有して前記額縁の上部において前記額縁と前記他の照明器具の器具本体に有する額縁とを付き合わせて把持可能な連結具を備え、前記連結具により前記器具本体を前記他の照明器具の前記器具本体に連結可能なことを特徴とする。
【０００８】
本発明においては、連結具は額縁の幅寸法に略等しい幅寸法を有して額縁の上部において額縁と他の照明器具の器具本体に有する額縁とを付き合わせて把持可能である。
これにより、連結具は額縁の上部に配置されて額縁の幅寸法全域に把持力をかける。
従って、連結具は床面側から直視されずに配置されて幅方向にがたつくことなく両器具本体を強固に連結することにより直線性を創出して外観品質を向上させることができる。
【０００９】
本発明に係る照明器具は、上記照明器具において、前記連結具は、前記器具本体の額縁と前記他の照明器具の前記額縁との合算厚さ寸法に略等しい挟み込み寸法の把持部を有することを特徴とする。
【００１０】
本発明においては、連結具は、その把持部が両額縁に外嵌されることにより両額縁を密着して保持する。
従って、がたつきを生ずることなく両器具本体を強固に連結することができる。
【００１１】
本発明に係る照明器具は、上記照明器具において、前記連結具は、前記器具本体の額縁と前記他の照明器具の前記額縁との合算厚さ寸法よりも小さい挟み込み寸法の把持部を有するとともに前記把持部の前記挟み込み寸法よりも大きい寸法の基端部を有することを特徴とする。
【００１２】
本発明においては、連結具は、把持部が基端部の寸法よりも小さい挟み込み寸法を有する。
従って、把持部に蓄積される大きな弾性復元力により両器具本体を強固に連結することができる。
【００１３】
本発明に係る照明器具は、上記照明器具において、前記連結具は、前記把持部の先端部が円弧形状に形成されていることを特徴とする。
【００１４】
本発明においては、連結具は、両額縁に外嵌される際に、円弧形状を先にして差し込まれる。
従って、連結具を両額縁に引っ掛かることなくスムースに装着することができる。
【００１５】
本発明に係る照明器具は、上記照明器具において、前記連結具は、前記把持部の先端部の幅寸法が前記基端部の幅寸法よりも小さいことを特徴とする。
【００１６】
本発明においては、連結具は、両額縁に外嵌される際に、基端部よりも小さい幅寸法の先端部を先にして差し込まれる。
従って、連結具を両額縁に簡単に装着することができる。
【発明の効果】
【００１７】
本発明の照明器具によれば、器具本体は、連結される他の照明器具に有する器具本体に付き合わされる側部に額縁を有し、額縁の幅寸法に略等しい幅寸法を有して額縁の上部において額縁と他の照明器具の器具本体に有する額縁とを付き合わせて把持可能な連結具を備え、連結具により器具本体を他の照明器具の器具本体に連結可能である。
これにより、直線性を創出することにより外観品質を向上させることができるという効果を有する。
【図面の簡単な説明】
【００１８】
【図１】本発明に係る一実施形態の照明器具の床面から視た外観斜視図
【図２】図１の照明器具の分解斜視図
【図３】図１の照明器具を天井面から視た外観斜視図
【図４】図１の照明器具に適用される連結具の外観斜視図
【図５】図４の連結具の両照明器具への取付時の外観斜視図
【図６】図４の連結具を取り付けた両照明器具の要部垂直断面図
【図７】図４の連結具の両照明器具への取付後の外観斜視図
【図８】図４の連結具を取り付けた両照明器具の床面から視た外観斜視図
【図９】本発明に係る一実施形態の照明器具に適用される連結具の第１変形例の外観斜視図
【図１０】本発明に係る一実施形態の照明器具に適用される連結具の第２変形例の外観斜視図
【図１１】本発明に係る一実施形態の照明器具に適用される連結具の第３変形例の側面図
【発明を実施するための形態】
【００１９】
以下、本発明の一実施形態に係る照明器具について図面を参照して説明する。
本発明の一実施形態である照明器具１０は、額縁１２を有する器具本体１１と、器具本体１１に固定された安定器１３および端子台１４と、器具本体１１に固定される反射板１５と、器具本体１１に保持される２本の直管蛍光灯１６と、照明器具１０に連結される他の照明器具７０に有する器具本体７１の額縁７２と額縁１２とを連結するための連結具１７と、を備え、天井面１に設けられた一対の取付ボルト２にワッシャ３を通してナット４をねじ込むことにより天井面１に固定される天井直付型の照明器具である。
【００２０】
図１に示すように、額縁１２は比較的薄い厚さ寸法（図３参照）Ｔ１を有する金属製板部材を用いて四角形の枠形状に形成されており、器具本体１１の外周を覆って取り付けられている。
【００２１】
図２に示すように、天井面１には取付ボルト２の間からに外部配線５が引き出されている。
【００２２】
器具本体１１は金属製であって等脚台形状に形成されている。器具本体１１は、その下面の中央部に安定器１３と端子台１４とを並べて固定している。器具本体１１は安定器１３と端子台１４との間に外部配線挿通穴１８を有し、安定器１３と端子台１４との長手方向外側に一対の取付ボルト穴１９を有する。
【００２３】
外部配線５は器具本体１１の外部配線挿通穴１８を通じて器具本体１１の下面において端子台１４に電気的に接続される。端子台１４は不図示の器具配線を通じて安定器１３に電気的に接続される。
【００２４】
器具本体１１の両端には一対のソケット台２０が取り付けられており、ソケット台２０に二対のソケット２１が固定されている。ソケット２１は不図示の器具配線を通じて安定器１３に電気的に接続される。ソケット２１には直管蛍光灯１６がそれぞれ装着されることにより安定器１３を通じて直管蛍光灯１６に給電して直管蛍光灯１６を点灯させる。
【００２５】
器具本体１１には安定器１３と端子台１４との外側に二対の掛止部２２を有する。掛止部２２には反射板１５が掛止されることにより安定器１３と端子台１４と器具配線とを覆って反射板１５が器具本体１１に組み付けられる。反射板１５は逆Ｖ字形状に器具本体１１に配置されるために直管蛍光灯１６からの光を床面に向けて反射させる。
【００２６】
器具本体１１は取付ボルト穴１９に取付ボルト２を挿通させてから、器具本体１１の下面側で取付ボルト２にワッシャ３を挿通させ、取付ボルト２にナット４をねじ込ませることにより天井面１に固定される。
【００２７】
図３に示すように、額縁１２の高さ寸法Ｌ１は照明器具１０の全体の高さ寸法Ｌ２に対して長さ寸法Ｌ３だけ低くなっている。
【００２８】
図４に示すように、連結具１７は弾性を有する例えば機械構造用鋼材を用いてＵ字形状に折曲成形されている。連結具１７は四角形形状の対向する一対の把持部２３を有する。
【００２９】
連結具１７は、その把持部２３が額縁１２の幅寸法Ｌ４よりもわずかに小さく略等しい幅寸法Ｌ５に形成されている。
【００３０】
次に、照明器具１０の詳細構造および連結具１７を用いて照明器具１０を他の照明器具３０を連結する際の作業手順について説明する。
【００３１】
図５に示すように、まず、額縁１２に他の照明器具７０の額縁７２を付き合わせ、天井面１側から額縁１２と額縁７２との外側に連結具１７を差し込む。
【００３２】
図６に示すように、連結具１７は一対の把持部２３の間の挟み込み寸法Ｌ６が額縁１２と額縁７２との合算厚さ寸法Ｔ２に略等しい。
【００３３】
図７に示すように、連結具１７は額縁１２と額縁７２とに外嵌されることにより、その把持部２３が挟み込み寸法Ｌ６を大きくするように弾性変形される。これにより、把持部２３に蓄積された弾性復元力により額縁１２と額縁７２とを付き合わせて一体的に連結する。
【００３４】
このとき、連結具１７の把持部２３の幅寸法Ｌ５が額縁１２、７２の幅寸法Ｌ４よりもわずかに小さく略等しいために、幅方向にがたつくことなく両額縁１２、７２に外嵌される。
【００３５】
図８に示すように、連結具１７により額縁１２と額縁７２とが付き合わされて連結された照明器具１０と他の照明器具７０とは、互いに付き合わされている額縁１２と額縁７２とにより連結具１７が隠されて配置される。
従って、連結具１７は床面側から直視されることがない。
【００３６】
以上説明したように、本発明の一実施形態に係る照明器具１０では、連結具１７は額縁１２の幅寸法Ｌ４に略等しい幅寸法Ｌ５を有して額縁１２の上部において額縁１２と他の照明器具７０の器具本体７１に有する額縁７２とを付き合わせて把持される。
これにより、連結具１７は額縁１２、７２の上部に配置されて額縁１２、７２の幅寸法Ｌ４全域に把持力をかける。
従って、連結具１７は床面側から直視されずに配置されて幅方向にがたつくことなく両器具本体１１、７１を強固に連結することにより直線性を創出して外観品質を向上させることができる。
【００３７】
本発明の一実施形態に係る照明器具１０では、連結具１７は、その把持部２３が両額縁１２、７２に外嵌されることにより両額縁１２、７２を密着して保持する。
従って、がたつきを生ずることなく両器具本体１１、７１を強固に連結することができる。
【００３８】
図９に示すように、本発明に係る一実施形態の照明器具に適用される第１変形例の連結具３１は、額縁１２と他の照明器具７０の額縁７２との合算厚さ寸法Ｔ２よりも小さい挟み込み寸法Ｌ７の一対の把持部３２を有するとともに把持部３２の挟み込み寸法Ｌ８よりも大きい寸法Ｌ８の基端部３３を有する。
【００３９】
第１変形例の連結具３１では、把持部３２が基端部３３の寸法Ｌ８よりも小さい挟み込み寸法Ｌ７を有する。
従って、把持部３２に蓄積される大きな弾性復元力により両器具本体１１、７１を強固に連結することができる。
【００４０】
図１０に示すように、本発明に係る一実施形態の照明器具に適用される第２変形例の連結具４１は、額縁１２と他の照明器具７０の額縁７２との合算厚さ寸法Ｔ２よりも小さい挟み込み寸法Ｌ９を有して先端部に円弧形状部４２を形成した一対の把持部４３を有する。
【００４１】
連結具４１は把持部４３の挟み込み寸法Ｌ１０よりも大きい寸法Ｌ８の基端部４４を有する。
【００４２】
第２変形例の連結具４１では、両額縁１２、７２に外嵌される際に、円弧形状部４２を先にして差し込まれる。
従って、円弧形状部４２により連結具４１を両額縁１２、７２に誘い込むことにより両額縁１２、７２に引っ掛かることなくスムースに装着することができる。
【００４３】
図１１に示すように、本発明に係る一実施形態の照明器具に適用される第３変形例の連結具５１は、把持部５２の先端部の幅寸法Ｌ１０を基端部５３の幅寸法Ｌ１１よりも小さくした。
【００４４】
第３変形例の連結具５１では、両額縁１２、７２に外嵌される際に、基端部５３よりも小さい幅寸法Ｌ１０の把持部５２の先端部を先にして差し込まれる。
従って、連結具５１を両額縁１２、７２に簡単に装着することができる。
【００４５】
なお、前記一実施形態で使用した器具本体１１、安定器１３、端子台１４、反射板１５、直管蛍光灯１６等は例示した形状に限定するものではなく適宜変更が可能である。
【符号の説明】
【００４６】
１  天井面
１０  照明器具
１１、７１  器具本体
１２、７２  額縁
１６  直管蛍光灯（蛍光灯）
１７  連結具
２３、３２、４３、５２  把持部
３３、４４、５３  基端部
７０  他の照明器具
【図１】
2010218837.tif 000003
【図２】
2010218837.tif 000004
【図３】
2010218837.tif 000005
【図４】
2010218837.tif 000006
【図５】
2010218837.tif 000007
【図６】
2010218837.tif 000008
【図７】
2010218837.tif 000009
【図８】
2010218837.tif 000010
【図９】
2010218837.tif 000011
【図１０】
2010218837.tif 000012
【図１１】
2010218837.tif 000013